(57)【要約】      （修正有）【課題】洗濯物などの乾燥時間を短縮すると同時に、ふっくらとして皺と縮みの少ない仕上がりをさせる。【解決手段】減圧槽と脱水洗濯槽の二つのドラムを持った洗濯乾燥機の乾燥工程において、最初に脱水洗濯槽内の衣類に付いている水分の温度を30〜60℃ぐらいに暖め、次に温風を止め減圧槽を高速で回転させ4.6mmHg〜31.8mmHgまでの圧力に下げる。このことにより、脱水洗濯槽の沸点は0〜30℃になることにより、急速な速さで衣服に付着している水分は蒸発を始める。この蒸発した水分は、減圧槽から外へ排出される。減圧槽の内か外に設置した温度計が0〜30℃を検知すると、減圧槽は停止または中速回転をする。常圧に戻し温風を吹き込み30〜60℃に上昇させた後、再び減圧槽を高速回転し減圧槽内及び脱水洗濯槽の沸点を0〜30℃にして、衣服に付いて水分の蒸発を早める。この操作を繰り返すことで、乾燥時間を短縮する。【選択図】図１
2005058716.tif 000002
【特許請求の範囲】
【請求項１】
減圧槽と脱水洗濯槽の二つのドラムを持った洗濯乾燥機の乾燥工程において、減圧槽を高速回転させて減圧槽内を４，６ｍｍＨｇから３１，８ｍｍＨｇまで減圧することによって脱水洗濯槽内の沸点を０℃から３０℃に下げて脱水洗濯槽内の水滴を蒸発させることを特徴とした洗濯乾燥機。
【請求項２】
減圧槽と脱水洗濯槽の二つのドラムを持った洗濯乾燥機において、減圧槽の内側又は外側に温度計を取り付けたことを特徴とした洗濯乾燥機。
【請求項３】
減圧槽と脱水洗濯槽の二つのドラムを持った洗濯乾燥機において、減圧槽内に圧力計を取り付けたことを特徴とした洗濯乾燥機。
【請求項４】
減圧槽と脱水洗濯槽の二つのドラムを持った洗濯乾燥機において、脱水洗濯槽内の衣服などを温めるために赤外線を使用することを特徴とした洗濯乾燥機。
【請求項５】
減圧槽と脱水洗濯槽の二つのドラムを持った洗濯乾燥機において、脱水洗濯槽内の衣服などを温めるために赤外線と温風を併用して使用することを特徴とした洗濯乾燥機。
【発明の詳細な説明】
【技術分野】
【０００１】  本発明は、洗濯乾燥機や乾燥機単体による衣服などの乾燥時の乾燥効率と仕上がり品質に関するものである。
【背景技術】
【０００２】  現在、洗濯乾燥機の乾燥工程においては、衣服などの入った洗濯槽に温風などを吹き込みながら洗濯槽を高速回転させ、その遠心力によって空気の流れを作り衣服の乾燥効率を高める方式か、衣服などの入った洗濯槽に温風などを吹き込みながら洗濯槽をゆっくり回転させて洗濯物を乾燥させる方式が主流となっている。【０００３】  上記の前者の方式の長所は、従来の方式よりも乾燥時間が短くてすむ代わりに仕上がった洗濯物にしわがついたり、どうしても繊維の外側から乾燥させるので繊維が硬くなると同時に繊維の内部と外部の乾燥速度の違いによる縮みが発生しやすく型崩れを起こしやすいと言った欠点がある。これは脱水洗濯槽自体が高速回転するので洗濯物に強い遠心力と遠心力により発生する風圧が掛かり皴をつけたりすることと、繊維の内部と外部の乾燥速度の違いにより発生する。後者の方式の長所は、前者の方式よりも洗濯物には皴が少ない代わりに乾燥時間が長く掛かることと、前者の方式と同じように繊維の外側から乾燥させるので繊維が硬くなると同時に繊維の内部と外部の乾燥速度の違いによる縮みや型崩れと、温度のみによる蒸発乾燥のため乾燥効率を高めるために脱水洗濯槽内に高い温度を吹き込まなければならならず、この事が特に高温と乾燥むらに弱い羽毛や綿などで作られた衣服などの縮みを引き起こす原因となっている。【０００４】蓋をした円筒形の筒の壁面に穴を開けて、その開いた穴に遠心力が掛かるように円筒形の筒を高速回転させるとこの筒の中が真空に近い状態まで減圧されることは良く知られている。
また、気圧と沸点との関係は良く知られているものであり、下記に一般的に言われている関係を記載する。
2005058716.tif 000003
空気密度の増減を利用して衣服などの乾燥効率を上げる方式は、特許公開２０００−３２０９６２に示されている。
また、減圧槽と脱水洗濯槽の２つのドラムを持った洗濯乾燥機に関しては、平成１５年７月２８日に（減圧槽を持った洗濯乾燥機）として特許申請されている。
また、水の温度は沸点以上には上昇できず、気圧を下げて沸点を下げるとその中の水滴は蒸発しながら熱を放出し沸点まで温度が下がるといったことと、赤外線の熱エネルギーは真空状態の中でも伝達するといったことは良く知られている。
【発明の開示】
【発明が解決しようとする課題】
【０００５】解決しようとする問題点は、洗濯乾燥機や乾燥機単体による長時間を必要としている洗濯物などの乾燥時間を短縮すると同時に、ふっくらとして皺が少なく縮みの少ない仕上がり方をさせようと言うものである。同時に、減圧槽内外の温度や気圧を感知して効率良く洗濯物の乾燥を行おうというものである。
【課題を解決するための手段】
【０００６】  減圧槽と脱水洗濯槽の二つのドラムを持った洗濯乾燥機の乾燥工程において、壁面に穴を開け外気が入らないように蓋をした減圧槽の中に壁面に穴を開けた脱水洗濯槽を設置する。この脱水洗濯槽の中に温風を吹き込んで脱水洗濯槽内の衣服などやそれに付いている水滴を３０℃ぐらいから６０℃ぐらいに暖める。次に温風の吹き込み口を閉じて減圧槽を高速回転させて減圧槽内及びその中に設置した脱水洗濯槽内の気圧を４，６ｍｍＨｇぐらいから３１，８ｍｍＨｇぐらいの間にまで下げると脱水洗濯槽内の沸点は０℃ぐらいから３０℃ぐらいまで低下する。このことにより、減圧槽内の水滴は、水滴自体の熱による蒸発と減圧槽内の衣服などの熱を吸収して速いスピードで蒸発を始め、その蒸発した水分は減圧槽が高速回転しているので減圧槽に空けられた穴から減圧槽の外へと押し出される。減圧槽の内側か外側に設置した温度計でこれらの蒸発した水分の温度を測定し０℃ぐらいから３０℃ぐらいの中の設定した温度を感知すると減圧槽の回転速度を停止又は中速回転に減速する。これは減圧槽内の水滴の温度及び減圧槽内の衣服などの温度が沸点の温度に達すると蒸発速度が落ちるためで、蒸発して減圧槽の外側か内側に運ばれてきた水分の温度を温度計で感知して、これらの温度が設定した温度に達すると減圧槽の回転速度を落として減圧槽内に空気を取り入れてもとの気圧すなわち沸点に戻すためである。次に温風の吹き込み口を開いて脱水洗濯槽内に温風の吹き込みを開始して脱水洗濯槽内の衣服や衣服などに付いて残っている水滴を３０℃ぐらいから６０℃ぐらいに暖めた後、また減圧槽を高速回転させて減圧槽内及びその中に設置した脱水洗濯槽内の沸点を０℃ぐらいから３０℃ぐらいの間にまで下げ、この温度を温度計で感知する。このように上記のサイクルを繰り返しながら脱水洗濯槽内の衣服を乾燥させようというものである。【００７】  上記システムでは、減圧槽の内側か外側に設置した温度計の変わりに、減圧槽や脱水洗濯槽の中に気圧計を設置して減圧槽内の気圧が４，６ｍｍＨｇぐらいから３１，８ｍｍＨｇの中の設定した気圧に下がったら減圧槽の回転速度を停止又は中速回転に減速するようにすることもできる。【００８】上記システムを用いて、羽毛や綿製品や混紡製品などの温度と乾燥むらに敏感な洗濯物を乾燥させるときには、これらの品物が縮まないように温風の吹き込み口から吹き込む温度を下げて、脱水洗濯槽内の衣服やそれに付いている水滴を２０℃ぐらいから３０℃ぐらいの温度に暖める。次に減圧槽の気圧を４，６ｍｍＨｇぐらいから９，２ｍｍＨｇぐらいまで減圧すると沸点は０℃ぐらいから１０℃ぐらいに低下する。次に減圧槽の内側か外側に設置した温度計で蒸発した水分の温度を測定し０℃ぐらいから１０℃ぐらいの中の設定した温度を感知すると減圧槽の回転速度を停止又は中速回転に減速するよう設定して上記の【０００６】に記載したシステムのように繰り返すことにより衣服などを乾燥させる。このように低い温度でも乾燥が速くできる理由は、水の温度は沸点以上には上昇できないといった性質を利用したものであり、気圧を下げて沸点を下げるとその中の水滴は蒸発しながら熱を放出し沸点まで温度が下がるといった性質を利用した��めである。【００９】  上記のシステムで衣服などの乾燥を行うとき、衣服などを温める熱源として、温熱器による温風の変わりに真空状態の中でも熱を伝えることの出来る赤外線などを利用することもできる。この赤外線などを利用する場合は、減圧槽内を減圧するために温風の吹き込みを停止するなどの熱エネルギーの供給の停止の必要がなく、常時赤外線などによる熱エネルギーを脱水洗濯槽内の衣服などに照射して衣服などを温めながら作業することができる。もちろん温熱器による温風の吹き込みと併用して赤外線などの熱エネルギーを脱水洗濯槽内の衣服などに照射を行うことにより効率はより高まる。【０１０】  上記のシステムで衣服などの乾燥を行うと、なかなか乾燥が難しかった繊維などの内部でも外部と同時に蒸発が起こるので、乾燥時間を短縮できるだけでなく、ふっくらと仕上がると同時に乾燥むらや縮みを防ぐことができる。【０１１】上記のシステムで衣服などの乾燥を行うと、衣服などに遠心力や遠心力による風圧が掛からないので衣服などに付く皺を少なくすることができる。【０１２】上記システムでは、常にパルセ−タ−などを回転させるなどして衣服などを攪拌しながら行うと効率が良い。また、上記工程において脱水洗濯槽内に温風を吹き込むとき減圧槽を低速から中速回転させておくと脱水洗濯槽内に空気の動きが生じて衣服を早く温めると同時に乾燥を速める。
【実施例１】
【０１３】  図３は、減圧槽と脱水洗濯槽の断面図を示しており、蓋をした減圧槽を高速回転させて減圧槽内と脱水洗濯槽内の沸点を０℃ぐらいから３０℃ぐらいに下げたときの蒸発した水滴の動きを示している。
【産業上の利用可能性】
【０１４】  本発明を市販されている乾燥機や洗濯乾燥機に利用することにより、衣服などが乾燥するまでの時間の短縮と、仕上がりの向上を図ることが出来る。【０１５】  本発明を洗濯乾燥機の脱水工程に利用することにより、遠心力による脱水をしなくても衣服などの脱水が可能となり、遠心力により衣服などに発生する皴をつけることなく衣服の仕上がり状態の向上を図ることができる。
【図面の簡単な説明】
【０１６】
【図１】減圧槽と脱水洗濯槽の二つのドラムを持った洗濯乾燥機の断面図を示したものである。
【図２】減圧槽を高速回転させて減圧槽内と脱水洗濯槽内の沸点を０℃ぐらいから３０℃ぐらいに下げたときに、繊維に付着した水滴が繊維の中と外から同時に蒸発している様子を図で表したものである。
【図３】減圧槽を高速回転させて減圧槽内と脱水洗濯槽内の沸点を０℃ぐらいから３０℃ぐらいに下げた時に、蒸発した水滴が脱水洗濯槽と減圧槽にあけられた穴から減圧槽の外側へ流れ出していく様子を表している。
【図４】脱水洗濯槽の内側に取り付けられた圧力計である。
【図５】減圧槽の蓋に取り付けられた赤外線発生器である。
【図６】減圧槽の蓋に取り付けられた赤外線発生器と温熱器である。
【符号の説明】
【０１７】１    洗濯乾燥機
２    減圧槽
３    脱水洗濯槽
４    温熱器
５    温風吹き出し口
６    モーター
７    パルセーター
８    温度計
９    蓋
１０  繊維
１１  水滴
１２  蒸発した水滴
１３  減圧槽に開けられた穴
１４  脱水洗濯槽に開けられた穴
１５  圧力計
１６  赤外線発生器
【図１】
2005058716.tif 000004
【図２】
2005058716.tif 000005
【図３】
2005058716.tif 000006
【図４】
2005058716.tif 000007
【図５】
2005058716.tif 000008
【図６】
2005058716.tif 000009